(57)【要約】      （修正有）【課題】排出路にポンプ作動部を組み込むことで吸引圧送排出トイレ装置のコンパクト化を実現し、且つ使用水量が少なくて済む新規な吸引圧送排水機構付トイレ装置を提供する。【解決手段】ボウル部１と、ボウル部に清浄水を放出する放水機構部２と、ボウル部底方に連続する逆Ｕ状のトラップ管路部３と、トラップ管路部の下方に連続し、圧送ポンプのポンプ作動部を介設した圧送管路部４と、圧送管路部に連続して且つ所定の立ち上がり容積を有し（立上管５１）、外部放出管路と接続する排水管路部５とを備え、放水機構部２からボウル部１への洗浄用水を供給した直後にポンプ作動部４２が作動を開始し、少なくともトラップ管路部内の排出対象水が空の状態に至るまで作動して停止し、前記排水管路部５の立ち上がり容積を、ポンプ作動部の停止後に粉砕汚水がポンプ作動部を満たす状態となる。【選択図】図１
2016153594.tif 000002
【特許請求の範囲】
【請求項１】
ボウル部と、
ボウル部へ所定量の清浄水を放出する放水機構部と、
ボウル部底方に連続するように設けた逆Ｕ状のトラップ管路部と、
トラップ管路部の下方に連続又は連結し、圧送ポンプのポンプ作動部を介設した圧送管路部と、
圧送管路部に連続又は連結して且つ所定の立ち上がり容積を有し、外部放出管路と接続する排水管路部とを備え、
放水機構部からボウル部への洗浄用水を供給した直後にポンプ作動部が作動を開始し、少なくともトラップ管路部内の排出対象汚水が空の状態に至るまで作動して停止し、
前記排水管路部の立ち上がり容積を、ポンプ作動部の停止後に粉砕汚水がポンプ作動部を満たす状態となるように設定した
ことを特徴とする吸引圧送排水機構付トイレ装置。
【請求項２】
ボウル部と、放水機構部と、トラップ管路部と、圧送管路部と、排水管路部とを、一体に組み込んでなる請求項１記載の吸引圧送排水機構付トイレ装置。
【請求項３】
ボウル部、放水機構部及びトラップ管路部を一体に組み込んだトイレ部と、圧送管路部及び排水管路部からなる排出機構部を各別に形成すると共に、トラップ管路部と圧送管路部とを適宜長さの吸引ホースで連結してなる請求項１記載の吸引圧送排水機構付トイレ装置。
【請求項４】
吸引ホースを圧送管路部に付設して排出機構部を構成し、吸引ホース先端とトラップ管路部終端とを着脱可能な接続構造としてなる請求項３記載の吸引圧送排水機構付トイレ装置。
【請求項５】
ボウル部及び放水機構部を一体に組み込んだトイレ部と、トラップ管路部及びトラップ管路部と圧送管路部を連結する適宜長さの吸引ホース、及び圧送管路部、及び排水管路部からなる排出機構部で構成してなる請求項１記載の吸引圧送排水機構付トイレ装置。
【請求項６】
適宜長さの吸引ホースを備えた排出機構部が一体に形成され、ボウル部の底方の排出口と連続する排出路終端とトラップ管路部先端とを着脱可能な接続構造としてなる請求項５記載の吸引圧送排水機構付トイレ装置。
【請求項７】
トラップ管路部と圧送管路部との間に一時貯留槽部を設けてなる請求項１乃至４記載の何れかの吸引圧送排水機構付トイレ装置。
【請求項８】
ボウル部とトラップ管路部との間に一時貯留槽部を設けてなる請求項１，５，６記載の何れかの吸引圧送排水機構付トイレ装置。
【請求項９】
ポンプ作動部の作動停止後に放水機構部からボウル貯留用水を供給してなる請求項１乃至８記載の何れかの吸引圧送排水機構付トイレ装置。
【請求項１０】
圧力差によって動作する自動排気弁を所定の高さ位置に備える排気管路を、トラップ管路部の頂部に接続してなる請求項１乃至９記載の何れかの吸引圧送排水機構付トイレ装置。
【請求項１１】
排水管路部の管路頂部に、圧力差によって動作する自動吸気弁を所定の高さ位置に備える吸気管路を接続してなる請求項１乃至１０記載の何れかの吸引圧送排水機構付トイレ装置。
【請求項１２】
排水管路部の適宜箇所に流量調整弁を介設してなる請求項１乃至１１記載の何れかの吸引圧送排水機構付トイレ装置。
【請求項１３】
放水機構部が、貯水タンク部と、貯水タンク部と接続してボウル部内への放水口から所定水量の放水を行う放水ポンプ部を備えてなる請求項１乃至１２記載の何れかの吸引圧送排水機構付トイレ装置。
【発明の詳細な説明】
【技術分野】
【０００１】
本発明は、排出対象汚水を吸引圧送排水するトイレ装置に関するものである。
【背景技術】
【０００２】
圧送排水機構を備えたトイレ装置としては、密閉貯留槽を備えこの密閉貯留槽に粉砕機能付きの圧送ポンプを配置して排出するトイレ装置（特許文献１，２）、及び排出路途中に排出ポンプを設置したトイレ装置（特許文献３）が知られている。
【先行技術文献】
【特許文献】
【０００３】
【特許文献１】特開２００５−１０５５８１号公報。
【特許文献２】特開２００７−２３４９２号公報。
【特許文献３】特開２００７−９３４３４号公報。
【発明の概要】
【発明が解決しようとする課題】
【０００４】
圧送排水のために密閉貯留槽を備える装置では、トイレ使用時毎に適切な排出作動を行うには、作動開始時にポンプ作動部（インペラ部等）が水没状態でなければならなく、排出ポンプを内装する貯留槽はある程度の容積を必要となるために、装置全体をコンパクトにする際の障害となる。
【０００５】
また貯留槽を備えずに特許文献３記載のように排出路に排水ポンプの作動部を組み込む場合には、装置のコンパクト化が可能であるが、ポンプ作動部と汚物受けとなるボウル部とが連続しているので、常時ボウル部底方とポンプ作動部が水没状態となる必要がある。そうするとボウル部内の汚水をポンプで排出しても、完全排出（ボウル部が空になる状態）がなされない。このためトイレ使用後においてボウル部内に清浄水を滞留させるために、汚物を排出するために必要とする水量を放水した後、更に連続してボウル部内及び排出路内が清浄水で満たされるまで連続して放水する必要があり、使用水量が大量になってしまう。
【０００６】
そこで本発明は、排出路にポンプ作動部を組み込むと共に、ポンプ作動部が常時水没して効率的に汚水排出を可能として、圧送排出トイレ装置のコンパクト化を実現し、且つ使用水量が少なくて済む新規な吸引圧送排水機構付トイレ装置を提案したものである。
【課題を解決するための手段】
【０００７】
本発明の請求項１記載に係る吸引圧送排水機構付トイレ装置は、ボウル部と、ボウル部へ所定量の清浄水を放出する放水機構部と、ボウル部底方に連続するように設けた逆Ｕ状のトラップ管路部と、トラップ管路部の下方に連続又は連結し、圧送ポンプのポンプ作動部を介設した圧送管路部と、圧送管路部に連続又は連結して且つ所定の立ち上がり容積を有し、外部放出管と接続する排水管路部とを備え、放水機構部からボウル部への洗浄用水を供給した直後にポンプ作動部が作動を開始し、少なくともトラップ管路部内の排出対象汚水が空の状態に至るまで作動して停止し、前記排水管路部の立ち上がり容積を、ポンプ作動部の停止後に粉砕汚水がポンプ作動部を満たす状態となるように設定したことを特徴とするものである。
【０００８】
而して前記トイレ装置のボウル部からの排出対象排水は、ボウル部底方から、トラップ管路部で一旦上方へ流れ、トラップ管路部の頂部を溢流して下方の圧送管路部に流れ込み、圧送管路部から再度排水管路部の立ち上がり部分で上方に向かって流れ、外部放出管を通じて装置外に放流されものである。
【０００９】
本発明は前記排水を所定の制御手段をもって実行するもので、トイレ使用後に放水機構部から洗浄用水を所定量放水し、ボウル部内の水位が高まりトラップ管路部に排出対象汚水（洗浄用水と排泄物）が流れ込み、ポンプ作動部が作動を開始する。ポンプ作動中は、汚水は固形物が粉砕され汚水となって圧送管路部から排水管路部へ圧送し、同時にトラップ管路部を通して排出対象汚水をボウル部からその全量を吸引し、粉砕汚水は外部放出管を通じて装置外に排水する。従って汚物の排出のために必要とする最低限の洗浄用水の使用で十分に汚物の排出が達成される。
【００１０】
またボウル部内の排出対象汚水は、トラップ管路部を通じてポンプによる吸引作用によってその全量が圧送管路部に送られるが、予めポンプ作動部の作動による排出量を設定（動作時間の設定）しておき、トラップ管路部が空の状態（ポンプ作動部が水没状態）若しくは圧送管路部が空の状態（圧送流体が無くなり空転状態又は空転直前状態）に至るまで圧送排水（ポンプ作動）を継続し、前記状態で停止する。ポンプ作動部の作動が停止すると、圧送圧力が解除され排水管路内全体の流体の流れも止まり、自然に水位調整が行われる。
【００１１】
前記の水位調整は、排水管路部の立ち上がり箇所に残留した粉砕汚水が、トラップ管路部の下流側と同一水位になるまで逆流することでなされる。この逆流において、粉砕汚水がトラップ管路部の上流側に溢流しないように立ち上がり容積を予め設定しておく。従ってポンプ作動部は作動開始時には必ず水没状態にあり、作動開始時の空転（非水没状態の回転）が生ずることなく、効率的に排水機能が発揮される。
【００１２】
また本発明の請求項２記載に係る圧送排水機構付トイレ装置は、ボウル部と、放水機構部と、トラップ管路部と、圧送管路部と、排水管路部とを、一体に組み込んでなるもので、そのままトイレ装置として所望の箇所に配置でき、外部放出管を接続することでトイレ設置可能となる。
【００１３】
本発明の請求項３，６記載に係る圧送排水機構付トイレ装置は、装置をトイレ部と排出機構部で構成すると共に、適宜な長さの吸引ホースでトラップ管路部と圧送管路部とを適宜長さの吸引ホースで連結してなるもので、請求項３記載の装置は、トイレ部をボウル部、放水機構部及びトラップ管路部を一体に組み込んで形成し、排出機構部をトラップ管路部と、トラップ管路部と圧送管路部を連結する吸引ホースと、圧送管路部及び排水管路部で構成したもので、請求項５記載の装置は、トイレ部をボウル部及び放水機構部を一体に組み込んで形成した、及びトラップ管路部を一体に組み込んだものとし、排出機構部を圧送管路部及び排水管路部で構成したもので、この装置は、独立したトイレ部を採用することができ、圧送管路部及び排水管路部を離れた位置（所望位置）に配置出ると共に、トイレ部のコンパクト化を実現できる。
【００１４】
本発明の請求項４，６記載に係る圧送排水機構付トイレ装置は、前記独立したトイレ部を採用した際において、排出機構部を一体に形成すると共に、所定箇所に着脱可能な接続構造を採用したもので、装置設置作業を容易にしてなるものである。
【００１５】
また本発明の請求項７，８記載に係る圧送排水機構付トイレ装置は、トラップ管路部と圧送管路部との間に、又はボウル部とトラップ管路部との間に一時貯留槽部を設けてなる、もので、一時貯留槽と連結される複数のトイレ部と、一時貯留槽に接続した単一の排出機構部の組み合わせで装置を構成することができ、複数のトイレを容易に設置することが可能となる。
【００１６】
また本発明の請求項９記載に係る圧送排水機構付トイレ装置は、前記のトイレ装置において、ポンプ作動部停止後に放水機構部からボウル貯留用水を供給してなるもので、ボウル貯留用水は、ボウル部底方とトラップ管路部の上流側に溜まるので、圧送管路部との間を水封することで臭気の遮断がなされ、且つトイレの使用開始状態においてはボウル部に清浄水が張られることになる。尚ポンプ作動部の作動時間は、洗浄用水と前記ボウル貯留用水の全量を排出するように設定する。
【００１７】
また本発明の請求項１０記載に係る圧送排水機構付トイレ装置は、前記のトイレ装置において、圧力差によって動作する自動排気弁を所定の高さ位置に備える排気管路を、トラップ管路部の頂部に接続してなるもので、洗浄用水供給時におけるトラップ管路の汚水の溢流に際して、トラップ管路内の空気抜きが自然に行われて、トラップ管路が直ぐに満たされ、ポンプ作動部の作動による吸引作用が速やかになされる。
【００１８】
また本発明の請求項１１記載に係る圧送排水機構付トイレ装置は、前記のトイレ装置において、排水管路部の管路頂部に、圧力差によって動作する自動吸気弁を所定の高さ位置に備える吸気管路を接続してなるもので、ポンプ作動部の動作停止時の汚水逆流に際して、排水管路部の逆流によって生ずる減圧状態の解消がなされるので、前記逆流がスムーズになされる。
【００１９】
また本発明の請求項９記載に係る圧送排水機構付トイレ装置は、前記のトイレ装置において、排水管路部と外部放出管との接続箇所に流量調整弁を介設してなるもので、ポンプ作動部による汚水排出量の設定を、作動時間の設定と共に流量調整の組み合わせで行うことができる。
【発明の効果】
【００２０】
本発明の構成は上記のとおりで、排出路に圧送排水のポンプ作動部を設けることで、排出対象汚水の吸引粉砕及び汚物粉砕後の粉砕汚水の圧送を行い、トイレ装置のコンパクト化を実現すると共に、ポンプ作動部の常時水没状態を実現することで、ポンプ作動部による排水効率の低下を防止し、更にポンプ作動部の動作時間を汚水排出量に対応させて適切な使用水量を採用することができたものである。
【図面の簡単な説明】
【００２１】
【図１】本発明の第一実施形態の構造説明図。
【図２】同動作説明図（使用開始前の状態）。
【図３】同図（洗浄用水供給開始時）。
【図４】同図（圧送排水時）。
【図５】同図（圧送排水停止時）。
【図６】同図（ボウル貯留水供給時）。
【図７】本発明の第二の実施形態の構造説明図。
【図８】本発明の第三実施形態の全体構成の説明図。
【図９】同動作説明図（使用開始前の状態）。
【図１０】同図（洗浄用水供給時）。
【図１１】同図（圧送排水停止時）。
【図１２】同図（ボウル貯留水供給時）。
【図１３】本発明の第四実施形態の全体構成の説明図。
【発明を実施するための形態】
【００２２】
次に本発明の実施形態について説明する。図１乃至図６に示した第一実施形態のトイレ装置は、ボウル部１、放水機構部２、トラップ管路部３、圧送管路部４、排水管路部５を備え、トイレ装置外の排水路となる外部放出管６と、各部の動作制御を行う制御部７を付属させてなるものである。尚図示例は管路径を大きく表現しているが、実際の装置では排出管路（トラップ管路部３、圧送管路部４、排水管路部５及び外部放出管６）は、φ２０〜５０ｍｍの管径を採用する。
【００２３】
ボウル部１は通常のトイレ装置と同様で底方を排出口１１とした適宜な容器形状である。放水機構部２は、貯水タンク部２１と、放水ポンプ２２と、放水口２３で構成され、貯水タンク部２１は、内部にフロート弁２４を設けて、所定時（水位低下検知時）に水道管等から給水を受け、放水ポンプ２２は、貯水タンク２１と放水口２３を接続し、所定時に所定水量を放水口２３から放水させるもので、その動作は制御部８からの制御信号に基づいて動作する。
【００２４】
トラップ管路部３は、上流管３１と下流管３２で構成され逆Ｕ状の管路で、上流管３１は、排出ボウル部１の底方の排出部１１に接続され、管路頂部に排気管３３を接続し、更に排気管３３に排気弁３４を設けてなる。前記排気弁３４は、後述するボウル部１内の洗浄用水Ｂの水位より高い位置に設け、圧力差によって一方向のみの通過動作を行う自動排気弁である。特に排気管路は図示していないが、排気弁３４からの放出空気は、装置近傍ではなく離れた位置で大気に放出されるようにする。
【００２５】
圧送管路部４は、トラップ管路部３の下流管３２と排水管路部５と連結し、両管路に対して下方に位置するもので、駆動モータ４１で作動されるポンプ作動部（インペラ等）４２を介設しているものである。
【００２６】
排水管路部５は、圧送管路部４との接続部分から所定の容積を有する立上管５１を備え、立上管５１の端部を外部放出管６とで逆Ｕ状の管路となるように接続すると共に、同管路の頂部に、吸気管５２を接続し、更に吸気管５２に圧力差によって動作する自動吸気弁５３を付設してなる。更に排水管路部５と外部放出管６との接続箇所に流量調整弁５４を介設してなる。
【００２７】
外部放出管６は、トイレ装置から汚水を所定の廃棄場所（下水道管等）に排出するための管路である。
【００２８】
制御部７は、スイッチ部７１と所定の制御回路（プログラム）を備え、トイレ使用後にスイッチオンとすると、放水ポンプ２２及び駆動モータ４１（＝ポンプ作動部４２）を所定のタイミングで、且つ所定の動作時間で作動するように制御するものである。
【００２９】
而して前記トイレ装置は、使用開始状態が図２に示す状態である。即ちボウル部１の底方とトラップ管路部３の上流管３１内にボウル貯留水（清浄水）Ｃが溜まっている状態で、且つ圧送管路部４には、前回使用時の粉砕汚水Ｅが残存している。
【００３０】
次にトイレを使用してスイッチ部７１を操作すると、放水ポンプ２２が作動してタンク貯水Ａをボウル部１内に洗浄用水Ｂとして放水される。洗浄用水Ｂがボウル部１内に放水されると、ボウル部１内の水位が高まりトラップ管路部３に排水対象汚水Ｄ（洗浄用水Ｂとボウル貯留水Ｃと排泄物）が流れ込む（図３）。特にトラップ管路部３への排出対象汚水Ｄの流入に際してトラップ管路部３内に存在している空気は、ボウル部１内の高い水位の影響を受けて排気弁３４から放出（排気ａ）される。
【００３１】
前記の洗浄用水Ｂの放水の直後にポンプ作動部４２の作動が開始する。このポンプ作動部４２の作動開始時には、ポンプ作動部４２が粉砕汚水Ｅに水没しているので、空転状態（圧送流体が存在しない状態での回転）が生じないので、効率的にポンプ機能が発揮される。
【００３２】
前記のポンプ作動部４２の作動によって、ボウル部１内の排出対象汚水Ｄは圧送管路部４の方向に吸引され、ポンプ作動部４２で排出対象汚水Ｄに含まれる排泄物が粉砕され、粉砕汚水Ｅとなって圧送管路部４から排水管路部５へ圧送され、外部放出管６を通じて装置外に排出されることになる（図４）。
【００３３】
ポンプ作動部４２による排出量は、動作時間で定まるので、その必要排出量（ボウル貯留水量+洗浄用水量）に対応する動作時間を予め設定しておき、排出対象汚水Ｄの全部がポンプ作動部４２を通過した時点ポンプ作動部４２の作動を停止する。前記停止時点では、図５に示すように排水管路部５の立上管５１に粉砕汚水Ｅが残る。
【００３４】
ポンプ作動部４２の停止によって粉砕汚水Ｅの圧送圧力が無くなるので、立上管５１箇所に残留した粉砕汚水Ｅは、トラップ管路部３の下流管３２と同一水位になるまで逆流して安定する（図６）。前記の逆流において外部放出管６が細径で密閉状態が継続する場合、前記逆流の抵抗となるが、立上管５１の水位低下による圧力低下によって自動吸気弁５３からの外気導入（吸気ｂ）によって、逆流がスムーズになされる。
【００３５】
勿論この逆流において、粉砕汚水Ｅがトラップ管路部３の上流管３１側に溢流しないように立上管５１の容積を予め設定しておく。また貯水タンク部２１には、フロート弁２４の動作によって水道水等を所定量に達するまで供給する。
【００３６】
ポンプ作動部４２が停止すると、前記の水位調整がなされると共に、放水ポンプ２２を再度作動させて、放水口２３から清浄水を所定量供給してボウル貯留水Ｃとし、図２に示す使用開始状態に戻るものである。
【００３７】
このようにトイレ使用後に排出路の途中に配置したポンプ作動部４２の作動によって、ボウル部１内の排出対象汚水Ｄを吸引すると共に粉砕圧送を行って装置外に排出を行い、ポンプ作動部の動作停止後に、所定量の粉砕汚水Ｅを逆流させ、ポンプ作動部４２を常時水没状態とするものである。
【００３８】
図７に示した第二実施形態のトイレ装置は、ボウル部１、放水機構部２、トラップ管路部３、圧送管路部４、排水管路部５を備えてなる基本構成は第一実施形態と同様であるが、特に一時貯留槽部８を設けてなるものである。図示番号が一致する構成は、第一実施形態の構成と同一であり、その構成及び作用についての説明は省略する。
【００３９】
一時貯留槽部８は扁平槽とし、トラップ管路部３の下流管３２の下端口３５を一時貯留槽部８の底面近くに開口させ、排出管路部４のポンプ作動部４２の入口も同様に一時貯留槽部８の底面近くに開口させてなるものである。また一時貯留槽部８にはトラップ管路３の排気路３３及び排気弁３４と同様の排気路８１と排気弁８２を設けたものである。
【００４０】
前記の第二実施形態も第一実施形態同様に、トイレ使用後の洗浄用水Ｂの供給時に駆動モータ４１を所定時間作動させて、一時貯留槽８に放出された排出対象汚水Ｄを、立上管５１を通して外部放出管６に排出する。
【００４１】
ポンプ作動部４２の停止によって、立上管５１箇所に残留した粉砕汚水Ｅが逆流し、少なくともトラップ管路部３の下端口３５を塞ぐものである。前記の粉砕汚水Ｅの逆流に際して一時貯留槽８の上方空間に残存する空気は、排気弁８１によって装置から離れた位置で大気放出される。
【００４２】
この第二実施形態は、特に一時貯留槽８を設けたことによって、複数組の放水機構２を備えたボウル部１及びトラップ管路部３で構成したトイレ部の複数を、圧送管路部４及び排水管路部５で構成された単一の排水部を備えた一時貯留槽８に接続することで、複数のトイレ部を備えたトイレ装置を容易に構築することができるものである。
【００４３】
前記の一時貯留槽８の採用は前記の第一実施形態のような一体型に限定されるものでは無く、下記する第三実施形態においても、複数のトイレ部０１からの排出対象汚水Ｄを一時貯留し、単一の排出機構部０２の吸引ホース９と接続するようにしても良いし、第四実施形態においても、複数のトイレ部０３からの排出対象汚水Ｄを一時貯留し、排出機構部０４の先端となるトラップ管路部３の先端を接続するようにしても良い。
【００４４】
次に図８乃至図１２に示した第三実施形態のトイレ装置について説明する。この実施形態はトイレ部０１と排出機構部０２で形成され、トイレ部０１は、ボウル部１、放水機構部２ａ、及びトラップ管路部３を備え、排出機構部０２は、圧送管路部４と排水管路部５ａを備えると共に、所望長さの吸引ホース９を設けたものである。
【００４５】
吸引ホース９は、圧送管路部４と接続され、先端にトラップ管路部３との接続部９１を設けたものである。勿論トラップ管路部３の出口側には、前記接続部９１と連結される下流接続部（ソケット）３６を設けている。尚吸引ホース９は予め排出機構部（圧送管路部４の入り口）０２に付設しておいても良いし、ソケット構造で連結するようにしても良い。
【００４６】
トイレ部０１のボウル部１及びトラップ管路部３は、基本的な第一実施形態と同様であり、放水機構部２ａは、コンパクト化を実現するために、特に貯水タンク部を備えずに、水道管等接続して直接水道水を洗浄用水Ｂとして放出するようにしたものである。
【００４７】
また排出機構部０２は、前記の吸引ホース９を設ける他、圧送回路部４が前記の第一実施形態と基本的に同一で、また各部の動作制御を行う制御部７も所定の制御（放水機構部２ａの弁開放時間、駆動モータ４１の作動時間等）を行うように設定しているものである。
【００４８】
特に排出管路部５ａは、立上管５１に替えて、圧送回路部４の駆動モータ４１を内置できる適宜な容積を備えた立上槽５１ａを採用したものである。
【００４９】
立上槽５１ａは、ポンプ作動部４２の出口（立上槽５１ａの底面となる入口５５）の上方部分に外部放出管６と連結する放出部５６が形成される仕切り５７を設け、前記仕切り５７の他方を空気貯留空間５８に形成したものである。この仕切り５７は、後述する汚水動作が満足する高さに設けているものであり、空気貯留空間５８の上部に自動吸気弁５３を介設した吸気管５２を接続しているものである。
【００５０】
この立上槽５１ａは、放出部５６で外部放出管６と接続される箇所以外は密封構造である。また仕切り５７に替えて、放出部５６を第四実施形態で示した放出ホース５６ａを管体で形成し、管端（入り口側）を立上槽５１ａ内の適宜高さまで垂下しても良い。
【００５１】
而して前記トイレ装置は、吸引ホース９をトラップ管路部３に接続し、吸引ホース９の迂回高さは任意に設定できるが、少なくとも圧送管路部４のポンプ作動部４２は、その高さ位置がトラップ管路部３の上流管３１と下流管３２の境界箇所の高さよりも低い位置に設置する。
【００５２】
前記トイレ装置の使用開始状態が図９に示す状態である。ボウル部１の底方とトラップ管路部３の上流管３１内にボウル貯留水（清浄水）Ｃが溜まっている状態で、且つ圧送管路部４、トラップ管路部３の下流管３２及び吸引ホース９には、前回使用時の粉砕汚水Ｅが残存している。
【００５３】
次にトイレを使用して制御部のスイッチ部（図示せず）の操作によってボウル部１内に放水機構部２ａから洗浄用水Ｂが放水される（図１０）。洗浄用水Ｂが放水されると、ボウル部１内の水位が高まりトラップ管路部３に汚水Ｄ（洗浄用水Ｂとボウル貯留水Ｃと排泄物）が流れ込み、トラップ管路部３内に存在している空気は、排気弁３４から放出（排気ａ）される。
【００５４】
前記の洗浄用水Ｂの放水の直後に、ポンプ作動部４２の作動が開始して、ボウル部１内の排出対象汚水Ｄは圧送管路部４の方向に吸引され、ポンプ作動部４２で排出対象汚水Ｄに含まれる排泄物が粉砕されて粉砕汚水Ｅとなり、粉砕汚水Ｅは入口５５から立上槽５１ａ内に送られる。
【００５５】
粉砕汚水Ｅが立上槽５１ａ内おいて仕切り５７の下端に達すると、空気貯留空間５８が密閉状態となり、圧送管路部４から粉砕汚水Ｅは放出部５６へ圧送され、外部放出管６を通じて装置外に排出されることになる。ポンプが所定時間作動して停止すると、粉砕汚水Ｅの一部が立上槽５１ａに残る（図１１）。
【００５６】
ポンプ作動部４２の停止による圧送圧力が無くなるので、立上槽５１ａに残留した粉砕汚水Ｅは、トラップ管路部３の下流管３２と同一水位になるまで逆流して安定する。特に前記の逆流においては、立上槽５１ａの水位低下によって空気貯留空間５８の圧力が低下すると、自動吸気弁５３から外気導入（吸気ｂ）がなされ、逆流がスムーズに行われる。
【００５７】
前記のポンプ作動部４２の停止と同時に、放水機構部２の作動によってボウル部１内に清浄水が所定量供給されボウル貯留水Ｃとなり、図９に示す使用開始状態に戻るものである。
【００５８】
このようにトイレ使用後に排出路の途中に配置したポンプ作動部４２の作動によって、ボウル部１内の排出対象汚水Ｄを吸引すると共に粉砕圧送を行って装置外に排出を行い、ポンプ作動部の動作停止後に、所定量の粉砕汚水Ｅを逆流させ、ポンプ作動部４２を常時水没状態とすることで、ポンプ作動部の排水効率の低下を防止したものである。
【００５９】
前記の第三実施形態は、特にトラップ管路部３と圧送管路部４との間を吸引ホース９で連結したもので、トイレ部０１と排出機構部０２を離れた位置に配置できるので、コンパクト化したトイレ部０１を所望箇所例えば介護ベッドなどに設置することも可能となるものである。
【００６０】
次に図１３に示した第四実施形態のトイレ装置について説明する。この実施形態は前記第三実施形態と同様にトイレ部０３と排出機構部０４で構成される。トイレ部０３は、ボウル部１、放水機構部２ａを備えてなり、特にボウル部１の底方に設けた排出口１１の排出路終端に、後述するトラップ管路部３ａの上流端に設けた上流接続部（ソケット構造）３７と着脱自在とした排出接続部１２を設けたものである。
【００６１】
排出機構部０４は、トラップ管路部３ａと吸引ホース９と、圧送管路部４と排水管路部５ａで構成されたもので、特にトラップ管路部３ａの上流端には、排出接続部１２と着脱自在に接続される上流接続部３７を設けている。尚吸引ホース９の長さはトイレ装置設置個所によって任意に定められるものであるが、本発明の目的（ポンプ駆動部の常時水没）を達成することができる長さに制限される。または排出機構部０４が一体に構成されるように組み込むようにしても良いし、圧送管路部４の入り口に着脱可能とした構造としても良い。
【００６２】
この第四実施形態は、前記した構成以外はそのまま第三実施形態の構成を採用する。
【００６３】
而して前記トイレ装置は、トイレ部０３を所望の箇所に配置し、また排出機構部０４における圧送管路部４と排水管路部５ａの部分も所望の箇所に配置し、トラップ管路部３ａの上流接続部３７とトイレ部布３の排出接続部２と連結して使用するもので、その動作は前記第三実施形態と同様である。
【００６４】
即ちトラップ管路部３ａの下流管３２から圧送管路部４まで前回使用時の粉砕汚水が残存し、トイレを使用してボウル部１内に放水機構部２ａから洗浄用水が放水されると、洗浄用水Ｂが放水されると、ボウル部１内の水位が高まりトラップ管路部３に汚水（洗浄用水とボウル貯留水と排泄物）が流れ込み、トラップ管路部３内に存在している空気は、排気弁３４をとおって排気管３３から放出される。
【００６５】
洗浄用水の放水の直後に、ポンプ作動部４２の作動が開始して、ボウル部１内の排出対象汚水を吸引し、排出対象汚水の排泄部を粉砕して粉砕汚水Ｅとし、立上槽５１ａ内に送られ、放出ホース５６ａが外部に放流され。
【００６６】
所定容積分（洗浄用水量）の放流後にポンプを停止すると、立上槽５１ａに残存する粉砕汚水が逆流し、必要に応じでボウル部１内にボウル貯留水を供給して使用開始状態に戻るものである。
【符号の説明】
【００６７】
１      ボウル部
１１    排出口
１２    排出接続部
２，２ａ      放水機構部
２１    貯水タンク部
２２    放水ポンプ
２３    放水口
２４    フロート弁
３，３ａ      トラップ管路部
３１    上流管
３２    下流管
３３    排気管
３４    排気弁
３５    下端口
３６    下流接続部
３７    上流接続部
４      圧送管路部
４１    駆動モータ
４２    ポンプ作動部
５，５ａ      排水管路部
５１    立上管
５１ａ  立上槽
５２    吸気管
５３    自動吸気弁
５４    流量調整弁
５５    入口
５６    放出部
５６ａ  放出ホース
５７    仕切り
５８    空気貯留空間
６      外部放出管
７      制御部
７１    スイッチ部
８      一時貯留槽部
８１    排気路
８２    排気弁
９      吸引ホース
９１    接続部
０１，０３  トイレ部
０２，０４    排出機構部
Ａ      タンク貯水
Ｂ      洗浄用水
Ｃ      ボウル貯留水
Ｄ      排出対象汚水
Ｅ      粉砕汚水
【図１】
2016153594.tif 000003
【図２】
2016153594.tif 000004
【図３】
2016153594.tif 000005
【図４】
2016153594.tif 000006
【図５】
2016153594.tif 000007
【図６】
2016153594.tif 000008
【図７】
2016153594.tif 000009
【図８】
2016153594.tif 000010
【図９】
2016153594.tif 000011
【図１０】
2016153594.tif 000012
【図１１】
2016153594.tif 000013
【図１２】
2016153594.tif 000014
【図１３】
2016153594.tif 000015